(57)【要約】【課題】レンズ装置がレンズ装置の名称（型番）等の識別情報を記憶するメモリ部を有するか否かに関わらず、装着されたレンズ装置に応じた設定を行えるプロジェクタ、それに装着されたレンズ装置の設定方法およびプログラムを提供する。【解決手段】ズーム状態を調整するためのズームリングとフォーカス状態を調整するためのフォーカスリングとを含むレンズ装置を交換可能であり、装着されたレンズ装置を用いて画像を投射するプロジェクタは、装着されたレンズ装置のズームリングおよびフォーカスリングの各々の可動範囲を取得する取得部と、取得部が取得した各々の可動範囲に基づいて、ズームリングとフォーカスリングの各々の回転位置を設定する制御部と、を含む。【選択図】図１Ａ
2016180859.tif 000002
【特許請求の範囲】
【請求項１】
ズーム状態を調整するためのズームリングとフォーカス状態を調整するためのフォーカスリングとを含むレンズ装置を交換可能であり、装着された前記レンズ装置を用いて画像を投射するプロジェクタであって、
前記装着されたレンズ装置のズームリングおよびフォーカスリングの各々の可動範囲を取得する取得部と、
前記取得部が取得した各々の可動範囲に基づいて、前記ズームリングと前記フォーカスリングの各々の回転位置を設定する制御部と、を含むプロジェクタ。
【請求項２】
請求項１に記載のプロジェクタにおいて、
前記制御部は、前記レンズ装置の機種に対応して、前記ズームリングおよびフォーカスリングの各々の可動範囲と識別情報とが記述されている第１リストと、前記機種に対応して、該識別情報と、該ズームリングとフォーカスリングとの各々の調整回転位置とが、記述されている第２リストと、を用いて、前記取得部が取得した各々の可動範囲に対応する前記識別情報を特定し、特定した識別情報に対応する前記各々の調整回転位置を特定し、特定した各々の調整回転位置に、前記装着されたレンズ装置のズームリングおよびフォーカスリングの回転位置を設定する、プロジェクタ。
【請求項３】
請求項２に記載のプロジェクタにおいて、
前記制御部は、前記特定した識別情報に対応する前記各々の調整回転位置の組合せが、前記第２リストに複数示されている場合、該複数の組合せのうち前記第２リストに最後に登録された組合せを、前記特定した識別情報に対応する前記各々の調整回転位置として特定する、プロジェクタ。
【請求項４】
請求項１から３のいずれか１項に記載のプロジェクタにおいて、
前記レンズ装置の交換を検出する検出部をさらに含み、
前記取得部は、前記検出部が前記レンズ装置の交換を検出した場合に、前記装着されたレンズ装置のズームリングおよびフォーカスリングの各々の可動範囲を取得する、プロジェクタ。
【請求項５】
請求項４に記載のプロジェクタにおいて、
バッテリーを電源として用い、前記検出部の検出結果を保持する保持部を含み、
前記取得部は、前記保持部が前記レンズ装置の交換を示す検出結果を保持している場合に、前記装着されたレンズ装置のズームリングおよびフォーカスリングの各々の可動範囲を取得する、プロジェクタ。
【請求項６】
請求項５に記載のプロジェクタにおいて、
前記取得部は、前記プロジェクタに電源が投入された際に前記保持部が前記レンズ装置の交換を示す検出結果を保持している場合に、前記装着されたレンズ装置のズームリングおよびフォーカスリングの各々の可動範囲を取得する、プロジェクタ。
【請求項７】
請求項１から６のいずれか１項に記載のプロジェクタにおいて、
前記装着されたレンズ装置のズームリングおよびフォーカスリングの可動範囲を調べる旨の操作を受け付ける受付部をさらに含み、
前記取得部は、前記受付部が前記操作を受け付けた場合に、前記装着されたレンズ装置のズームリングおよびフォーカスリングの各々の可動範囲を調べて該各々の可動範囲を取得する、プロジェクタ。
【請求項８】
ズーム状態を調整するためのズームリングとフォーカス状態を調整するためのフォーカスリングとを含むレンズ装置を交換可能であり、装着された前記レンズ装置を用いて画像を投射するプロジェクタが行うレンズ装置の設定方法であって、
前記装着されたレンズ装置のズームリングおよびフォーカスリングの各々の可動範囲を取得し、
前記各々の可動範囲に基づいて、前記ズームリングと前記フォーカスリングの各々の回転位置を設定する、レンズ装置の設定方法。
【請求項９】
ズーム状態を調整するためのズームリングとフォーカス状態を調整するためのフォーカスリングとを含むレンズ装置を交換可能であり、装着された前記レンズ装置を用いて画像を投射するプロジェクタ内のコンピュータに、
前記装着されたレンズ装置のズームリングおよびフォーカスリングの各々の可動範囲を取得する取得手順と、
前記各々の可動範囲に基づいて、前記ズームリングと前記フォーカスリングの各々の回転位置を設定する設定手順と、を実行させるためのプログラム。
【発明の詳細な説明】
【技術分野】
【０００１】
本発明は、プロジェクタ、それに装着されたレンズ装置の設定方法およびプログラムに関し、特には、画像を投射するレンズ装置を交換可能なプロジェクタ、それに装着されたレンズ装置の設定方法およびプログラムに関する。
【背景技術】
【０００２】
ズーム状態とフォーカス状態を調整可能な投射用レンズ装置（以下、単に「レンズ装置」と称する）を交換可能であり、さらに、装着されたレンズ装置の調整後のズーム状態およびフォーカス状態を記録できるプロジェクタが知られている。このプロジェクタは、調整後のズーム状態およびフォーカス状態を記録した後にズーム状態やフォーカス状態が変更されても、変更後のズーム状態やフォーカス状態を、記録された状態（変更前の状態）に戻すことができる。
しかしながら、このプロジェクタは、レンズ装置が他の種類のレンズ装置に交換された場合、交換後のレンズ装置に適さないズーム状態やフォーカス状態（交換前のレンズ装置に適したズーム状態やフォーカス状態）を設定してしまう可能性があった。
【０００３】
特許文献１には、交換後のレンズ装置に適した設定を行えるプロジェクタが記載されている。
特許文献１に記載のプロジェクタに装着されるレンズ装置は、レンズ装置の名称（型番）を記憶するメモリ部を有する。特許文献１に記載のプロジェクタは、装着されたレンズ装置が有するメモリ部からレンズ装置の名称（型番）を取得する。その後、特許文献１に記載のプロジェクタは、レンズ装置の名称（型番）に応じてパラメータの設定を行う。
【先行技術文献】
【特許文献】
【０００４】
【特許文献１】特開２０１１−２５２９３８号公報
【発明の概要】
【発明が解決しようとする課題】
【０００５】
特許文献１に記載のプロジェクタは、メモリ部を有さないレンズ装置が装着された場合、装着されたレンズ装置の名称（型番）を識別できず、装着されたレンズ装置に応じた設定を行うことができない。
したがって、レンズ装置がレンズ装置の名称（型番）等の識別情報を記憶するメモリ部を有するか否かに関わらず、装着されたレンズ装置に応じた設定を行えるプロジェクタが望まれるという課題があった。
【０００６】
本発明の目的は、上記課題を解決可能なプロジェクタ、それに装着されたレンズ装置の設定方法およびプログラムを提供することである。
【課題を解決するための手段】
【０００７】
本発明のプロジェクタは、ズーム状態を調整するためのズームリングとフォーカス状態を調整するためのフォーカスリングとを含むレンズ装置を交換可能であり、装着された前記レンズ装置を用いて画像を投射するプロジェクタであって、前記装着されたレンズ装置のズームリングおよびフォーカスリングの各々の可動範囲を取得する取得部と、前記取得部が取得した各々の可動範囲に基づいて、前記ズームリングと前記フォーカスリングの各々の回転位置を設定する制御部と、を含む。
【０００８】
本発明のレンズ装置の設定方法は、ズーム状態を調整するためのズームリングとフォーカス状態を調整するためのフォーカスリングとを含むレンズ装置を交換可能であり、装着された前記レンズ装置を用いて画像を投射するプロジェクタが行うレンズ装置の設定方法であって、前記装着されたレンズ装置のズームリングおよびフォーカスリングの各々の可動範囲を取得し、前記各々の可動範囲に基づいて、前記ズームリングと前記フォーカスリングの各々の回転位置を設定する。
【０００９】
本発明のプログラムは、ズーム状態を調整するためのズームリングとフォーカス状態を調整するためのフォーカスリングとを含むレンズ装置を交換可能であり、装着された前記レンズ装置を用いて画像を投射するプロジェクタ内のコンピュータに、
前記装着されたレンズ装置のズームリングおよびフォーカスリングの各々の可動範囲を取得する取得手順と、
前記各々の可動範囲に基づいて、前記ズームリングと前記フォーカスリングの各々の回転位置を設定する設定手順と、を実行させる。
【発明の効果】
【００１０】
本発明によれば、レンズ装置がレンズ装置の名称（型番）等の識別情報を記憶するメモリ部を有するか否かに関わらず、プロジェクタに装着されたレンズ装置に応じた設定を行うことが可能になる。
【図面の簡単な説明】
【００１１】
【図１Ａ】本発明の第１実施形態のプロジェクタ１を示した図である。
【図１Ｂ】レンズ装置２の一例を示した図である。
【図２】プロジェクタ１の動作を説明するためのフローチャートである。
【図３】記憶部４１と設定部４２とを含む制御部４の一例を示した図である。
【図４】本発明の第２実施形態のプロジェクタ１００を示した図である。
【図５Ａ】レンズ登録リスト４ａの一例を示した図である。
【図５Ｂ】調整値リスト４ｂの一例を示した図である。
【図６】プロジェクタ１００の動作を説明するためのフローチャートである。
【図７】ステップＳ６０２およびＳ６０３を説明するための図である。
【図８】最後に設定された調整値であること示すフラグが追加された調整値リスト４ｂの一例を示した図である。
【図９】受付部１１が設けられたプロジェクタの一例を示した図である。
【発明を実施するための形態】
【００１２】
以下、本発明の実施形態について図面を参照して説明する。
【００１３】
（第１実施形態）
図１Ａは、本発明の第１実施形態のプロジェクタ１を示した図である。
プロジェクタ１は、交換可能なレンズ装置２と、取得部３と、制御部４と、を含む。プロジェクタ１は、プロジェクタ１に装着されたレンズ装置２を用いて画像を投射する。
レンズ装置２は、ズーム状態を調整するためのズームリング２１と、フォーカス状態を調整するためのフォーカスリング２２と、を含む。ズームリング２１は、回転することによってズーム状態を調整する。フォーカスリング２２は、回転することによってフォーカス状態を調整する。
ズームリング２１の可動範囲とフォーカスリング２２の可動範囲との組合せは、レンズ装置２の種類ごとに異なっている。このため、ズームリング２１の可動範囲とフォーカスリング２２の可動範囲との組合せによって、レンズ装置２の種類を特定することが可能になる。以下、ズームリング２１を、単に「リング２１」とも称する。また、フォーカスリング２２を、単に「リング２２」とも称する。
【００１４】
図１Ｂは、レンズ装置２の一例を示した図である。図１Ｂにおいて、図１Ａに示したものと同一のものには同一符号を付してある。
図１Ｂにおいて、レンズ装置２は、ズームリング２１と、フォーカスリング２２と、ズームレンズ２３と、フォーカスレンズ２４と、位置検出部２５および２６と、駆動部２７および２８と、を含む。
ズームレンズ２３は、ズームリング２１の回転に伴い光軸Ｌに沿って移動する。ズームレンズ２３の移動によってズーム状態が調整される。フォーカスレンズ２４は、フォーカスリング２２の回転に伴い光軸Ｌに沿って移動する。フォーカスレンズ２４の移動によってフォーカス状態が調整される。
位置検出部２５は、ズームリング２１の回転位置を検出する。位置検出部２５は、例えば、ズームリング２１の回転に応じて回転するロータリーエンコーダーを含む。位置検出部２６は、フォーカスリング２２の回転位置を検出する。位置検出部２６は、例えば、フォーカスリング２２の回転に応じて回転するロータリーエンコーダーを含む。
駆動部２７は、ズームリング駆動信号に応じてズームリング２１を回転する。駆動部２８は、フォーカスリング駆動信号に応じてフォーカスリング２２を回転する。
【００１５】
図１Ａに示した取得部３は、プロジェクタ１に装着されたレンズ装置２のズームリング２１およびフォーカスリング２２の各々の可動範囲を取得する。取得部３は、位置検出部２５の検出結果を用いて、ズームリング２１の可動範囲を取得する。取得部３は、位置検出部２６の検出結果を用いて、フォーカスリング２２の可動範囲を取得する。
制御部４は、取得部３が取得したズームリング２１およびフォーカスリング２２の各々の可動範囲に基づいて、ズームリング２１とフォーカスリング２２の各々の回転位置を設定する。
ここで、ズームリング２１およびフォーカスリング２２の各々の可動範囲の組合せは、プロジェクタ１に装着されたレンズ装置２の種類に対応する。このため、可動範囲の組合せに基づくズームリング２１およびフォーカスリング２２の回転位置の設定は、プロジェクタ１に装着されたレンズ装置２の種類に基づいて、ズームリング２１とフォーカスリング２２の各々の回転位置を設定することを意味する。
【００１６】
次に、プロジェクタ１の動作を説明する。
図２は、プロジェクタ１の動作を説明するためのフローチャートである。
取得部３は、プロジェクタ１に装着されたレンズ装置２のズームリング２１およびフォーカスリング２２の各々の可動範囲を取得する（ステップＳ２０１）。
ここで、ステップＳ２０１の一例を説明する。
取得部３は、ズームリング２１およびフォーカスリング２２の各々の可動範囲を位置検出部２５および２６から取得する。
ズームリング２１およびフォーカスリング２２の各々の可動範囲の測定は、例えば、制御部４からズームリング駆動信号とフォーカスリング駆動信号を駆動部２７および２８にそれぞれ供給することによって実行される。なお、可動範囲の測定時のズームリング駆動信号とフォーカスリング駆動信号の供給元は、制御部４に限らず適宜変更可能である。例えば、取得部３が、可動範囲の測定時のズームリング駆動信号とフォーカスリング駆動信号の供給元として機能してもよい。
ズームリング２１の可動範囲は、位置検出部２５の検出結果によって示される。また、フォーカスリング２２の可動範囲は、位置検出部２６の検出結果によって示される。
続いて、取得部３は、ズームリング２１およびフォーカスリング２２の各々の可動範囲を制御部４に出力する。
制御部４は、ズームリング２１およびフォーカスリング２２の各々の可動範囲を受け付けると、各々の可動範囲の組合せに基づいて、ズームリング２１とフォーカスリング２２の各々の回転位置を設定する（ステップＳ２０２）。
ここで、ステップＳ２０２の一例を説明する。
制御部４は、ズームリング２１とフォーカスリング２２の調整に関するリストを記憶している。このリストは、レンズ装置の種類ごとに、該種類のレンズ装置のリング２１および２２の各可動範囲と、該種類のレンズ装置がプロジェクタ１に装着された状況で調整されたリング２１および２２の回転位置を対応づけて示している。以下、レンズ装置がプロジェクタ１に装着された状況で調整されたリング２１および２２の回転位置を「調整回転位置」とも称する。
制御部４は、リング２１および２２の可動範囲を受け付けると、以下のように動作する。制御部４は、受け付けた可動範囲の組合せに対応するリング２１および２２の調整回転位置を、リストを参照して特定する。続いて、制御部４は、実際のズームリング２１とフォーカスリング２２の回転位置がズームリング２１とフォーカスリング２２の調整回転位置に一致するように、ズームリング駆動信号とフォーカスリング駆動信号を駆動部２７および２８にそれぞれ供給する。
【００１７】
次に、本実施形態の効果について説明する。
本実施形態では、取得部３は、プロジェクタ１に装着されたレンズ装置２のズームリング２１およびフォーカスリング２２の各々の可動範囲を取得する。制御部４は、取得部３が取得したズームリング２１およびフォーカスリング２２の各々の可動範囲に基づいて、ズームリング２１とフォーカスリング２２の各々の回転位置を設定する。
上述したように、ズームリング２１およびフォーカスリング２２の各々の可動範囲の組合せは、プロジェクタ１に装着されたレンズ装置２の種類に対応する。このため、各可動範囲に基づくズームリング２１およびフォーカスリング２２の回転位置の設定は、プロジェクタ１に装着されたレンズ装置２の種類に基づいて、ズームリング２１とフォーカスリング２２の各々の回転位置を設定することを意味する。
したがって、プロジェクタ１に装着されたレンズ装置２の種類に基づいて、ズームリング２１とフォーカスリング２２の各々の回転位置を設定することが可能になる。よって、レンズ装置２がレンズ装置２の名称（型番）等の識別情報を記憶するメモリ部を有するか否かに関わらず、プロジェクタ１に装着されたレンズ装置２に応じた設定を行うことが可能になる。
【００１８】
次に、本実施形態の変形例を説明する。
制御部４は、記憶部４１と設定部４２とを含んでもよい。
図３は、記憶部４１と設定部４２とを含む制御部４の一例を示した図である。
記憶部４１は、レンズ装置の種類ごとに、該種類のレンズ装置のリング２１および２２の各可動範囲と、該種類のレンズ装置のリング２１および２２の各調整回転位置とを、予め対応づけて示すリストを記憶する。
設定部４２は、取得部３からズームリング２１およびフォーカスリング２２の可動範囲を受け付けると、以下のように動作する。設定部４２は、受け付けた可動範囲の組合せに対応するリング２１および２２の調整回転位置に、実際のリング２１および２２の回転位置が一致するように、ズームリング駆動信号とフォーカスリング駆動信号を駆動部２７および２８にそれぞれ供給する。
また、制御部４は、取得部３が取得した各々の可動範囲に対応する各々の調整回転位置の組合せが、記憶部４１内のリストに複数示されている場合、以下のように動作してもよい。制御部４は、該複数の組合せのうちリストに最後に登録された組合せを、取得部３が取得した各々の可動範囲に対応する各々の調整回転位置として特定する。
【００１９】
（第２実施形態）
図４は、本発明の第２実施形態のプロジェクタ１００を示した図である。図４において、図１Ａや図１Ｂに示したものと同一構成のものには同一符号を付してある。
プロジェクタ１００は、レンズ装置２と、取得部３と、制御部４と、着脱検出部５と、保持部６と、バッテリー７と、光源８と、光変調部９と、表示部１０と、を含む。
制御部４は、第１実施形態で説明した機能に加えて、画像信号に応じた画像駆動信号を生成する機能を有する。
着脱検出部５は、検出部の一例である。着脱検出部５は、プロジェクタ１００に対するレンズ装置２の脱着および交換を検出する。
保持部６は、着脱検出部５の検出結果を保持する。保持部６は、バッテリー７を電源として動作する。このため、保持部６は、プロジェクタ１００に電源が投入されていない場合でも、脱着検出部５の検出結果を保持する。
光源８は、画像の投射に使用される光を発する。
光変調部９は、光源８が発した光を制御部４からの画像駆動信号に応じて変調して画像（画像光）を生成する。光変調部９が生成した画像は、レンズ装置２にて被投射面（例えば、スクリーン）に投射される。
表示部１０は、種々の情報を表示する。例えば、表示部１０は、制御部４からの画像駆動信号に応じた画像を表示する。
なお、制御部４は、レンズ登録リスト４ａと調整値リスト４ｂとを保持する。レンズ登録リスト４ａは、第１リストの一例である。調整値リスト４ｂは、第２リストの一例である。
図５Ａは、レンズ登録リスト４ａの一例を示した図である。図５Ｂは、調整値リスト４ｂの一例を示した図である。
レンズ登録リスト４ａでは、レンズ装置の種類（機種名）ごとに、該種類のレンズ装置のズームリング２１およびフォーカスリング２２の各々の可動範囲と、該種類のレンズ装置の機種名が、互いに対応づけられている。なお、レンズ装置の機種名は、レンズ装置の種類の識別情報の一例である。
調整値リスト４ｂでは、レンズ装置の種類（機種名）ごとに、該種類のレンズ装置の機種名と、該種類のレンズ装置のズームリング２１とフォーカスリングとの各々の調整回転位置が、互いに対応付けられている。なお、調整回転位置は、調整値を意味する。
【００２０】
次に、プロジェクタ１００の動作を説明する。
図６は、プロジェクタ１００の動作を説明するためのフローチャートである。
脱着検出部５は、レンズ装置２がプロジェクタ１００から外された後に、レンズ装置２がプロジェクタ１００に装着されたことを検出すると、レンズ装置２が交換された旨の情報（以下「レンズ交換情報」と称する）を、保持部６に通知する（ステップＳ６０１）。
保持部６は、脱着検出部５から通知されたレンズ交換情報を保持する。保持部６は、バッテリー７にて駆動するので、プロジェクタ１００への電源の投入の有無に関わらず、レンズ交換情報を保持できる。
保持部６がレンズ交換情報を保持した際に、プロジェクタ１００に電源が投入されていない場合には、その後、プロジェクタ１００に電源が投入されると、制御部４は、レンズ装置２のキャリブレーションを実行する（ステップＳ６０２）。なお、保持部６がレンズ交換情報を保持した際に、プロジェクタ１００に電源が投入されている場合には、レンズ交換情報の保持に応じて、制御部４は、レンズ装置２のキャリブレーションを実行する。
続いて、取得部３は、キャリブレーション時に測定されたズームリング２１の可動範囲およびフォーカスリング２２の可動範囲を取得する（ステップＳ６０３）。
【００２１】
ここで、ステップＳ６０２およびＳ６０３について説明する。
図７は、ステップＳ６０２およびＳ６０３を説明するための図である。
まず、制御部４は、ズームリング駆動信号を駆動部２７に供給して、ズームリング２１を、Min端を示す回転位置まで回転させる。ズームリング２１は、Min端を示す回転位置（可動範囲の一端）まで回転すると、回転を停止する。取得部３は、ズームリング２１がMin端で停止したときの位置検出部２５の検出結果を、ズームリング基準位置として定める。
続いて、制御部４は、ズームリング駆動信号を駆動部２７に供給して、ズームリング２１を、Max端を示す回転位置まで回転させる。ズームリング２１は、Max端を示す回転位置（可動範囲の他端）まで回転すると、回転を停止する。
取得部３は、ズームリング基準位置から、ズームリング２１がMax端で停止したときの位置検出部２５の検出結果が示す位置までの範囲を、ズームリング２１の可動範囲として取得する。
続いて、制御部４は、フォーカスリング駆動信号を駆動部２８に供給して、フォーカスリング２２を、Min端を示す回転位置まで回転させる。フォーカスリング２２は、Min端を示す回転位置（可動範囲の一端）まで回転すると、回転を停止する。取得部３は、フォーカスリング２２がMin端で停止したときの位置検出部２６の検出結果を、フォーカスリング基準位置として定める。
続いて、制御部４は、フォーカスリング駆動信号を駆動部２８に供給して、フォーカスリング２２を、Max端を示す回転位置まで回転させる。フォーカスリング２２は、Max端を示す回転位置（可動範囲の他端）まで回転すると、回転を停止する。
取得部３は、フォーカスリング基準位置から、フォーカスリング２２がMax端で停止したときの位置検出部２６の検出結果が示す位置までの範囲を、フォーカスリング２２の可動範囲として取得する。
続いて、取得部３は、ズームリング２１の可動範囲とフォーカスリング２２の可動範囲とを制御部４に出力する。
【００２２】
制御部４は、ズームリング２１の可動範囲とフォーカスリング２２の可動範囲とを受け付けると、ズームリング２１の可動範囲およびフォーカスリング２２の可動範囲と、レンズ登録リスト４ａを比較する（ステップＳ６０４）。
続いて、制御部４は、レンズ登録リスト４ａを参照して、ズームリング２１の可動範囲とフォーカスリング２２の可動範囲に対応するレンズ装置の機種名を特定する（ステップＳ６０５）。
例えば、制御部４が図５Ａに示したレンズ登録リスト４ａを保持している状況で、ズームリング２１の可動範囲が７０であり、フォーカスリング２２の可動範囲が４０であると、制御部４は、レンズ装置の機種名Ｂを、装着されたレンズ装置として特定する。
なお、ズームリング２１の可動範囲とフォーカスリング２２の可動範囲に対応するレンズ装置の機種名が、レンズ登録リスト４ａに示されていない場合、制御部４は図６に示した処理を終了する。
装着されたレンズ装置の機種名が特定された場合、制御部４は、調整値リスト４ｂを参照して、ステップＳ６０５で特定したレンズ装置の機種名に対応する調整値（ズームリング２１の調整回転位置とフォーカスリング２２の調整回転位置）を特定する。
例えば、制御部４が図５Ｂに示した調整値リスト４ｂを保持している状況で、レンズ装置の機種名Ｂが特定された場合、制御部４は、調整値リスト４ｂ内のNo.2の調整値（ズーム調整値30、フォーカス調整値20）を特定する。
続いて、制御部４は、実際のズームリング２１の回転位置（ズームリング基準位置からの回転位置）がズームリング２１の調整値になるように、ズームリング駆動信号を駆動部２７に供給する。また、制御部4は、実際のフォーカスリング２２の回転位置（フォーカスリング基準位置からの回転位置）がフォーカスリング２２の調整値になるように、フォーカスリング駆動信号を駆動部２８に供給する（ステップＳ６０６）。
なお、特定されたレンズ装置の機種名に対応する調整値が調整値リスト４ｂに示されていない場合、制御部４は図６に示した処理を終了する。
【００２３】
次に、本実施形態の効果について説明する。
本実施形態では、制御部４は、キャリブレーションにて特定されるズームリング２１およびフォーカスリング２２の各々の可動範囲からレンズ装置２の機種を特定する。このため、レンズ装置２に、プロジェクタ側にレンズ装置自身の機種情報を通知する構成を搭載する必要が無くなる。
また、自動でレンズ装置に調整値を設定することで、レンズ装置交換時の人為的な作業ミスをリカバリすることができる。
バッテリーにて駆動する保持部６を有するので、プロジェクタ１００に電源が入っていない間でも、レンズ装置が交換されたことを検知することができる。
【００２４】
次に、本実施形態の変形例を説明する。
制御部４は、調整値リスト４ｂに、ステップ６０５で特定した機種名に対応するズームリング２１の調整値とフォーカスリング２２の調整値の組合せが複数示されている場合、以下のように動作してもよい。制御部４は、その複数の組合せのうち、調整値リスト４ｂに最後に登録された組合せを、ステップ６０５で特定した機種名に対応するズームリング２１の調整値とフォーカスリング２２の調整値として特定する。
調整値リスト４ｂに最後に登録された組合せは、その機種名のレンズ装置２が使用されていた状況下で最後に設定された調整値を意味する。このため、ズームリング２１の実際の回転位置とフォーカスリング２２の実際の回転位置を、最後に設定された調整値（回転位置）に設定することが可能になる。
その場合、図８に示すように、最後に設定された調整値であること示すフラグが調整値リスト４ｂに追加されることが望ましい。この場合、制御部４は、調整値リスト４ｂに示されたフラグを参照して、複数の組合せのうち、調整値リスト４ｂに最後に登録された組合せを特定する。
【００２５】
また、プロジェクタ１００に、装着されたレンズ装置２のキャリブレーションおよびズームリング２１およびフォーカスリング２２の可動範囲を調べる旨の操作（以下「実行操作」と称する）を受け付ける受付部が設けられてもよい。
図９は、実行操作を受け付ける受付部１１が設けられたプロジェクタの一例を示した図である。図９において、図４に示したものと同一構成のものには同一符号を付してある。
図９に示したプロジェクタでは、制御部４は、受付部１１が実行操作を受け付けた場合に、図６に示したステップＳ６０２以降の処理を実行する。この場合、脱着検出部５と保持部６とバッテリー７が省略されてもよい。
【００２６】
上記各実施形態において、少なくとも取得部３および制御部４は、コンピュータにて実現されてもよい。この場合、コンピュータは、コンピュータにて読み取り可能な記録媒体に記録されたプログラムを読込み実行して、少なくとも取得部３および制御部４が有する機能を実行する。記録媒体は、例えば、CD-ROM（Compact Disk Read Only Memory）である。記録媒体は、CD-ROMに限らず適宜変更可能である。
以上説明した各実施形態において、図示した構成は単なる一例であって、本発明はその構成に限定されるものではない。
【符号の説明】
【００２７】
１      プロジェクタ
２      レンズ装置
２１    ズームリング
２２    フォーカスリング
２３    ズームレンズ
２４    フォーカスレンズ
２５、２６  位置検出部
２７、２８  駆動部
３      取得部
４      制御部
５      脱着検出部
６      保持部
７      バッテリー
８      光源
９      光変調部
１０      表示部
１１      受付部
【図１Ａ】
2016180859.tif 000003
【図１Ｂ】
2016180859.tif 000004
【図２】
2016180859.tif 000005
【図３】
2016180859.tif 000006
【図４】
2016180859.tif 000007
【図５Ａ】
2016180859.tif 000008
【図５Ｂ】
2016180859.tif 000009
【図６】
2016180859.tif 000010
【図７】
2016180859.tif 000011
【図８】
2016180859.tif 000012
【図９】
2016180859.tif 000013